(57)【要約】【課題】ワイヤハーネスにテープを用いて設置されるコネクタ用ハウジングにおいて、ワイヤハーネスへの設置時における位置ずれを無くす。【解決手段】ワイヤハーネス５にコネクタ用ハウジング１を係合させてワイヤハーネス５とコネクタ用ハウジング１とをテープ７で結わえるときにテープ７をガイドするガイド部９が、コネクタ用ハウジング１に形成されている。【選択図】図１
2014013682.tif 000002
【特許請求の範囲】
【請求項１】
ワイヤハーネスにテープを用いて設置されるコネクタ用ハウジングにおいて、
前記ワイヤハーネスに前記コネクタ用ハウジングを係合させて前記ワイヤハーネスと前記コネクタ用ハウジングとを前記テープで結わえるときに前記テープをガイドするガイド部が形成されていることを特徴とするコネクタ用ハウジング。
【請求項２】
請求項１に記載のコネクタ用ハウジングにおいて、
前記ガイド部は、前記コネクタ用ハウジングの少なくとも一部の角部に形成されている凹部で構成されており、この凹部では、前記角部を円弧状に丸めた形状、もしくは、前記角部を面取りした形状になっていることを特徴とするコネクタ用ハウジング。
【請求項３】
請求項２に記載のコネクタ用ハウジングにおいて、
前記コネクタ用ハウジングは、直方体状に形成されており、
前記コネクタ用ハウジングの前後方向と前記ワイヤハーネスの延伸方向とがお互いに一致し、前記コネクタ用ハウジングの縦方向の一方の端面が前記ワイヤハーネスに接触するようにして、前記コネクタ用ハウジングが前記ワイヤハーネスに設置されるように構成されており、
前記凹部は、前記コネクタ用ハウジングの縦方向の他方の端面と前記コネクタ用ハウジングの横方向の両端面との境界に位置している２つの角部のそれぞれであって前記コネクタ用ハウジングの前後方向の中間部に形成されていることを特徴とするコネクタ用ハウジング。
【発明の詳細な説明】
【技術分野】
【０００１】
本発明は、コネクタ用ハウジングに係り、特に、テープを用いてワイヤハーネスに設置されて使用されるものに関する。
【背景技術】
【０００２】
従来、図６で示すように、矩形な筒状に形成されている本体部３０１と、本体部３０１における横方向の一方の側壁部から横方向に突出している板状のオス接点部３０３と、本体部３０１の内部に設けられているメス接点部３０５とを備えて構成されたジョイント端子３０７が提案されている。
【０００３】
なお、ジョイント端子３０７は、ジョイント端子収容ハウジング３０９に対して移動することで、ジョイント端子収容ハウジング３０９の収容穴への収容や収容穴からの取り出しがなされるようになっている。
【０００４】
ジョイント端子収容ハウジング３０９には、複数のジョイント端子３０７が同時に設置（収容）されるようになっている。ジョイント端子収容ハウジング３０９に設置された各ジョイント端子３０７は、横方向に所定の間隔をあけてならんでいる。そして、１つのジョイント端子３０７のメス接点部に、上記１つのジョイント端子３０７の隣に位置している他の１つのジョイント端子３０７のオス接点部が入り込み、お互いに隣接しているジョイント端子３０７同士が導通するようになっている。
【０００５】
ジョイント端子３０７を収容したジョイント端子収容ハウジング３０９が、図７で示すように、テープ３１１を用いてワイヤハーネス３１３に設置される場合がある。
【０００６】
また、従来、テープ３１１を用いてワイヤハーネス３１３に設置されたジョイント端子収容ハウジング３０９の位置ずれを防止するために、図９で示すように、滑り止め部材３１５をワイヤハーネス３１３の外周に巻き付け、滑り止め部材３１５が設置された部位にジョイント端子収容ハウジング３０９を設置するものが知られている（たとえば特許文献１参照）。
【先行技術文献】
【特許文献】
【０００７】
【特許文献１】特開２０００−３３１７５１号公報
【発明の概要】
【発明が解決しようとする課題】
【０００８】
ところで、図７や図９に示すものでは、ワイヤハーネス３１３にジョイント端子収容ハウジング３０９を設置し、テープ３１１を巻くときに、図８に示すように、ワイヤハーネス３１３に対する位置ずれが発生してしまうおそれがあるという問題がある。
【０００９】
この問題は、従来のように滑り止め部材３１５をワイヤハーネス３１３の外周に巻き付けた構成では回避することができない。なお、図８では、テープ３１１の位置ずれを示しているが、二点鎖線で示すようなテープ３１１の位置ずれの代えてもしくは加えて、テープ３１１を巻くときにワイヤハーネス３１３に対してジョイント端子収容ハウジング３０９が斜めになる位置ずれが発生する場合もある。
【００１０】
また、上述した問題は、図６で示したジョイント端子収容ハウジング３０９以外の態様（ジョイント端子の設置の態様）のジョイント端子収容ハウジングを、ワイヤハーネス３１３に設置する場合にも同様に発生する問題である。
【００１１】
本発明は、上記問題点に鑑みてなされたものであり、ワイヤハーネスにテープを用いて設置されるコネクタ用ハウジングにおいて、ワイヤハーネスへの設置時における位置ずれを無くすことができるコネクタ用ハウジングを提供することを目的とする。
【課題を解決するための手段】
【００１２】
請求項１に記載の発明は、ワイヤハーネスにテープを用いて設置されるコネクタ用ハウジングにおいて、前記ワイヤハーネスに前記コネクタ用ハウジングを係合させて前記ワイヤハーネスと前記コネクタ用ハウジングとを前記テープで結わえるときに前記テープをガイドするガイド部が形成されているコネクタ用ハウジングである。
【００１３】
請求項２に記載の発明は、請求項１に記載のコネクタ用ハウジングにおいて、前記ガイド部は、前記コネクタ用ハウジングの少なくとも一部の角部に形成されている凹部で構成されており、この凹部では、前記角部を円弧状に丸めた形状、もしくは、前記角部を面取りした形状になっているコネクタ用ハウジングである。
【００１４】
請求項３に記載の発明は、請求項２に記載のコネクタ用ハウジングにおいて、前記コネクタ用ハウジングは、直方体状に形成されており、前記コネクタ用ハウジングの前後方向と前記ワイヤハーネスの延伸方向とがお互いに一致し、前記コネクタ用ハウジングの縦方向の一方の端面が前記ワイヤハーネスに接触するようにして、前記コネクタ用ハウジングが前記ワイヤハーネスに設置されるように構成されており、前記凹部は、前記コネクタ用ハウジングの縦方向の他方の端面と前記コネクタ用ハウジングの横方向の両端面との境界に位置している２つの角部のそれぞれであって前記コネクタ用ハウジングの前後方向の中間部に形成されているコネクタ用ハウジングである。
【発明の効果】
【００１５】
本発明によれば、ワイヤハーネスにテープを用いて設置されるコネクタ用ハウジングにおいて、ワイヤハーネスへの設置時における位置ずれを無くすことができるという効果を奏する。
【図面の簡単な説明】
【００１６】
【図１】本発明の実施形態に係るコネクタ用ハウジングの概略構成を示す斜視図である。
【図２】図１におけるＩＩ−ＩＩ断面を示す図である。
【図３】テープを用いて本発明の実施形態に係るコネクタ用ハウジングをワイヤハーネスに設置した状態を示す図（ワイヤハーネスの長手方向に対して直交する平面による断面図）である。
【図４】図３におけるＩＶ矢視図である。
【図５】変形例に係るコネクタ用ハウジングの概略構成を示す図であって図２に対応した図である。
【図６】従来のジョイント端子と、このジョイント端子が収容されるハウジングとの概略構成を示す斜視図である。
【図７】テープを用いて従来のコネクタ用ハウジングをワイヤハーネスの設置した状態を示す図であって、図３に対応した図である。
【図８】図７におけるＶＩＩＩ矢視図である。
【図９】従来の、テープを用いたコネクタ用ハウジングのワイヤハーネスへ設置構造を示す斜視図である。
【発明を実施するための形態】
【００１７】
本発明の実施形態に係るコネクタ用ハウジング（ハウジング）１は、たとえば、従来のものと同様に、複数のコネクタ端子（ジョイント端子）が収容されて設置されるものである。
【００１８】
コネクタ端子は、従来のものと同様に、電線の端部に設置されて使用されるものである。そして、複数本の電線（図示せず）のそれぞれに設置された各ジョイント端子を、複数の収容穴３が設けられているジョイント端子収容ハウジング１に収容することで（各コネクタ端子のそれぞれを各収容穴３のそれぞれに挿入して収容することで）、各コネクタ端子を介して上記電線同士が接続（導通）するようになっている。
【００１９】
ここで、説明の便宜のために、コネクタ用ハウジング１の長手方向を前後方向（コネクタ端子のハウジング１への抜き差し方向）とし、長手方向に対して直交する一方向を横方向とし、前後方向と横方向とに対して直交する方向を縦方向とする。
【００２０】
１つのハウジング１には、複数のコネクタ端子が、横方向に並べられて同時に設置されるようになっている。これらの設置された各コネクタ端子は、お互いに隣接しているもの同士が接触して導通している。
【００２１】
コネクタ用ハウジング（コネクタ端子収容ハウジング）１は、図３や図４で示すように、ワイヤハーネス５にテープ７を用いて設置（固定）されるものである。
【００２２】
コネクタ用ハウジング１の本体部１１には、ガイド部９が設けられている。ガイド部９は、ワイヤハーネス５にコネクタ用ハウジング１を係合させて（たとえば接触させて）ワイヤハーネス５とコネクタ用ハウジング１とをテープ７で結わえるときにテープ７をガイドするもの（部位）である。
【００２３】
ワイヤハーネス５とコネクタ用ハウジング１とをテープ７で結わえることで、ワイヤハーネス５とコネクタ用ハウジング１との外側に帯状のテープ７がこの長手方向に延伸し、少なくと１回りのテープ７が巻かれ（テープ７が環状になり）、ワイヤハーネス５とコネクタ用ハウジング１と締め上げられ縛られるのである。
【００２４】
ガイド部９は、コネクタ用ハウジングの本体部１１に形成された凹部１３で構成されているが、ガイド部９が、コネクタ用ハウジングの本体部１１形成された凸部（図示せず）で構成されていてもよい。
【００２５】
また、ワイヤハーネス５とコネクタ用ハウジング１とをテープ７で結わえている途中と結わえ終えたときに、ガイド部９によって、テープ７に位置ずれが防止されるようになっている。
【００２６】
テープ７は、たとえばビニルテープ（合成樹脂で構成された帯状の基材の厚さ方向の一方の面が粘着性もしくは接着性を設けてあるテープ）で構成されている。そして、粘着剤等が設けられている面が環状のテープ７の内面側に位置している。
【００２７】
なお、テープ７として、粘着剤等が設けられていない紐状の部材（たとえばインシュロック（登録商標）等の結束バンド）を採用してもよい。）
ガイド部９は、コネクタ用ハウジングの本体部１１（コネクタ用ハウジング１）の少なくとも一部の角部（各角部のうちの一部の角部もしくは総ての角部、さらには、角部の一部もしくは角部の総て部分）に形成されている凹部１３で構成されており、この凹部１３では、角部を円弧状に丸めた形状、もしくは、角部を平面で面取りした形状になっている（図２、図５参照）。
【００２８】
コネクタ用ハウジングの本体部１１は、前後方向（長手方向）で所定の寸法になっており、横方向で所定の寸法（前後方向の寸法と同程度の寸法）になっており、縦方向で所定の寸法（前後方向の寸法や横方向の寸法よりも小さい寸法）になっている直方体状（矩形な平板状）に形成されている。
【００２９】
コネクタ用ハウジングの本体部１１の前後方向とワイヤハーネス５の延伸方向（長手方向）とがお互いに一致し、コネクタ用ハウジングの本体部１１の縦方向の一端側の端面の一部（横方向の中央部で前後方向の全長にわたり直線状に延びている部位）がワイヤハーネス５に接触するようにして、コネクタ用ハウジング１がワイヤハーネス５に設置されるように構成されている。
【００３０】
ガイド部９を構成している凹部１３は、コネクタ用ハウジングの本体部１１の縦方向の他端側の端面とコネクタ用ハウジングの本体部１１の横方向の両端面との境界に位置している２つの角部のそれぞれであってコネクタ用ハウジングの本体部１１の前後方向の中間部に形成されている。
【００３１】
すなわち、凹部１３が形成されていることで、コネクタ用ハウジング１(本体部１１)の一部分がかまぼこ屋根の形状になっている。
【００３２】
さらに説明すると、凹部１３は、コネクタ用ハウジングの本体部１１の前後方向の中間部であって、コネクタ用ハウジングの本体部１１の縦方向の他端側（ワイヤハーネス５とは反対側）に設けられている。また、コネクタ用ハウジングの本体部１１の横方向では、コネクタ用ハウジングの本体部１１の全幅にわたって設けられている。
【００３３】
凹部１３は、コネクタ用ハウジング１の中心を通り前後方向に対して直交する平面に対して、対称に形成されている。また、コネクタ用ハウジング１の中心を通り横方向に対して直交する平面に対して、対称に形成されている。
【００３４】
コネクタ用ハウジング１の前後方向に対して直交する平面による断面（凹部１３の底面の断面）は、円弧状になっている。ただし、円弧の曲率半径が、横方向の両端側で小さく中間部では大きくなっている。
【００３５】
さらに説明すると、コネクタ用ハウジング１の前後方向に対して直交する平面によるコネクタ用ハウジング１の断面は、横方向の中央部で縦方向の寸法が最も大きくなっており、横方向の端部に至るにしたがって次第に小さくなっている。なお、この小さくなる割合は、横方向の近傍で大きくなっている。
【００３６】
凹部１３が形成されていることで、前後方向におけるコネクタ用ハウジング１の両端側で、壁１５Ａ，１５Ｂが突出している態様になっている。
【００３７】
コネクタ用ハウジング１をワイヤハーネス５に設置する場合には、まず、コネクタ用ハウジング１に、電線に接続されているコネクタ端子を設置する。
【００３８】
続いて、コネクタ用ハウジング１をワイヤハーネス５に係合させ、凹部１３内にテープ７が位置するようにして（凹部１３の底面のテープ７が接するようにして）、コネクタ用ハウジング１とワイヤハーネス５とをテープ７で結わえる。
【００３９】
コネクタ用ハウジング１によれば、テープ７をガイドするガイド部９がコネクタ用ハウジングの本体部１１に形成されているので、コネクタ用ハウジング１をワイヤハーネス５に設置するとき、ガイド部９を用いてテープ７を巻き付ければよく、ワイヤハーネス５への設置時における、テープ７等の位置ずれ（図８で示す位置ずれ）を無くすことができる。
【００４０】
また、コネクタ用ハウジング１によれば、ガイド部９が、コネクタ用ハウジングの本体部１１の少なくとも一部の角部に形成されている円弧状の凹部１３で構成されているので、テープ７を一旦巻き付けてワイヤハーネス５にコネクタ用ハウジング１を設置し終えた後においても、テープ７が円弧状の凹部１３の底面にしっかりと密着し、コネクタ用ハウジング１に対して、テープ７やコネクタ用ハウジング１の位置がずれにくくなっているとともに、テープ７が巻き解けるおそれもなくなっている。
【００４１】
また、コネクタ用ハウジング１によれば、凹部１３が、２つの角部のそれぞれにわたって形成されており、さらに、凹部１３が、コネクタ用ハウジングの本体部１１の前後方向の中間部に形成されているので、図３や図４から理解されるように、テープ７を正確な位置に正確な態様で巻き付けることができ、しかも、一層安定した状態で、コネクタ用ハウジング１をワイヤハーネス５に設置（固定）し続けることができる。
【００４２】
なお、凹部１３の形態を適宜変更してもよい。
【００４３】
たとえば、図５（ａ）で示すように、円弧状の凹部１３が、横方向の両端側にのみ形成されており、中央部や中間部に形成されていない態様であってもよい。
【００４４】
また、図５（ｂ）で示すように、凹部１３が、横方向の両端に形成されたＣ面で構成されていてもよい。
【００４５】
また、図５（ｃ）で示すように、縦方向の一端部側（ワイヤハーネス５側）の角部にも、円弧状の凹部（ワイヤハーネス５側とは反対側の凹部よりも小さい凹部；Ｃ面状の凹部でもよい）１３が形成されていてもよい。
【００４６】
また、図５（ｄ）で示すように、ワイヤハーネス５が接する部位に、曲率半径がワイヤハーネス５の曲率半径とほぼ等しいか多きい円弧状の凹部１７が設けられていてもよい。
【符号の説明】
【００４７】
１  コネクタ用ハウジング
５  ワイヤハーネス
７  テープ
９  ガイド部
１３  凹部
【図１】
2014013682.tif 000003
【図２】
2014013682.tif 000004
【図３】
2014013682.tif 000005
【図４】
2014013682.tif 000006
【図５】
2014013682.tif 000007
【図６】
2014013682.tif 000008
【図７】
2014013682.tif 000009
【図８】
2014013682.tif 000010
【図９】
2014013682.tif 000011